(57)【要約】【課題】構造が簡単で安価であり、持ち運びが容易で、長期間使用することができる緩衝剣及びその製造方法を提供する。【解決手段】緩衝剣１の刀部２は、柔軟素材で形成された筒状の外筒３と、外筒３内の一端３ａ側に設けられ、硬質素材で形成された第１の芯材５と、外筒３内に設けられ、柔軟素材で形成された第２の芯材６と、外筒３を包む袋７とで構成されている。握持部１３は、硬質素材によって筒状に形成され、外筒３の一端２ａ側に嵌着されている。緩衝剣１は、上記外筒３内の一端側に、第１の芯材５を嵌着する第１の工程と、外筒３内及び第１の芯材５内に、第２の芯材６を嵌挿する第２の工程と、外筒３を袋７で包み込む第３の工程と、握持部１３を、外筒３の一端３ａ側に嵌着し、固着手段によって固着する第４の工程により製造する。【選択図】        図８
2004208911.tif 000002
【特許請求の範囲】
【請求項１】
刀部と握持部とからなり、
刀部は、
柔軟素材で形成された筒状の外筒と、
外筒内の一端側に設けられ、硬質素材で形成された第１の芯材と、
外筒内に設けられ、柔軟素材で形成された第２の芯材と、
外筒を包む袋とで構成され、
握持部は、外筒の一端側に設けられていることを特徴とする緩衝剣。
【請求項２】
上記第１の芯材は、筒状に形成され、第２の芯材の一端側が第１の芯材内に挿入されていることを特徴とする請求項１記載の緩衝剣。
【請求項３】
上記握持部は、皮革部材又は布地によって袋状に形成され、縫製、接着等の固定手段によって外筒の一端側に被着されていることを特徴とする請求項１又は２記載の緩衝剣。
【請求項４】
上記握持部は、硬質素材によって筒状に形成され、外筒の一端側に嵌着され、接着材、ネジ等の固着手段によって外筒の一端側に固着されていることを特徴とする請求項１又は２記載の緩衝剣。
【請求項５】
上記握持部は、硬質素材によって半円筒状に形成された第１の半体と第２の半体とで構成され、外筒の一端側を第１の半体と第２の半体で挟み込み、ネジ、接着材等の固着手段によって外筒の一端側に固着されていることを特徴とする請求項１又は２記載の緩衝剣。
【請求項６】
上記握持部には、鍔部が一体に形成されていることを特徴とする請求項４又は５記載の緩衝剣。
【請求項７】
上記握持部の後端には、柔軟素材で形成された保護部材が設けられていることを特徴とする請求項１乃至６のいずれか１項に記載の緩衝剣。
【請求項８】
柔軟素材で形成された筒状の外筒内の一端側に、硬質素材で形成された筒状の第１の芯材を嵌着する第１の工程と、
外筒内及び第１の芯材内に、柔軟素材で形成された第２の芯材を嵌挿する第２の工程と、
外筒を袋で包み込む第３の工程と、
外筒の一端側に握持部を取り付ける第４の工程とからなることを特徴とする緩衝剣の製造方法。
【請求項９】
硬質素材で形成された筒状の第１の芯材内に、柔軟素材で形成された第２の芯材を嵌合する第１の工程と、
第１の芯材及び第２の芯材を、柔軟素材で形成された筒状の外筒内に嵌挿し、第１の芯材を外筒の一端側に配置する第２の工程と、
外筒を袋で包み込む第３の工程と、
外筒の一端側に握持部を取り付ける第４の工程とからなることを特徴とする緩衝剣の製造方法。
【請求項１０】
柔軟素材で形成された筒状の外筒の一端側から、硬質素材で形成された第１の芯材を嵌挿し、これと前後して又は同時に外筒の他端側から、柔軟素材で形成された第２の芯材を嵌挿する第１の工程と、
外筒を袋で包み込む第３の工程と、
外筒の一端側に握持部を取り付ける第４の工程とからなることを特徴とする緩衝剣の製造方法。
【請求項１１】
上記第４の工程は、皮革部材又は布地によって袋状に形成された握持部を、縫製、接着等の固定手段によって外筒の一端側に被着する工程であることを特徴とする請求項８、９又は１０記載の緩衝剣の製造方法。
【請求項１２】
上記第４の工程は、硬質素材によって筒状に形成された握持部を、外筒の一端側に嵌着し、接着材、ネジ等の固着手段によって外筒の一端側に固着する工程であることを特徴とする請求項８、９又は１０記載の緩衝剣の製造方法。
【請求項１３】
上記第４の工程は、硬質素材によって半円筒状に形成された第１の半体と第２の半体とからなる握持部の第１の半体と第２の半体で、外筒の一端側を挟み込み、第１の半体と第２の半体をネジ、接着材等の固着手段によって外筒の一端側に固着する工程であることを特徴とする請求項８、９又は１０記載の緩衝剣の製造方法。
【請求項１４】
上記握持部の後端に、柔軟素材で形成された保護部材を取り付ける第５の工程を有することを特徴とする請求項８乃至１３のいずれか１項に記載の緩衝剣の製造方法。
【発明の詳細な説明】
【０００１】
【発明の属する技術分野】
本願発明は、刀部が柔軟素材で形成された緩衝剣及びその製造方法に関する。
【０００２】
【従来の技術】
従来の緩衝剣は、硬質材料で作られたグリップ体と、このグリップ体の先端に取り付けられた袋状の刀身部とからなり、刀身部に気体を注入して、刀身部の形状を維持するようにしていた（例えば、特許文献１）。
【０００３】
【特許文献１】
特許第２７２４９１８号公報
【０００４】
【発明が解決しようとする課題】
上記従来の緩衝剣は、刀身部に空気を注入するためのバルブが必要であり、構造が複雑で、高価であるという問題点があった。また、空気を注入しなければ使用できないため、空気入れを常に携帯する必要があり、持ち運びが面倒であるという問題点があった。さらに、使用中に僅かでも傷つくと、そこから空気が漏れ出すため、使用することができなくなるという問題点があった。
【０００５】
本願発明は、上記問題点に鑑み発明されたものであって、構造が簡単で安価であり、持ち運びが容易で、僅かな傷でもそのまま使用し続けることができ、長期間使用することができる緩衝剣を提供することを第１の目的とする。また、その緩衝剣の製造方法を提供することを第２の目的とする。
【０００６】
【課題を解決するための手段】
本願請求項１記載の緩衝剣は、上記第１の目的を達成するため、刀部と握持部とからなり、刀部は、柔軟素材で形成された筒状の外筒と、外筒内の一端側に設けられ、硬質素材で形成された第１の芯材と、外筒内に設けられ、柔軟素材で形成された第２の芯材と、外筒を包む袋とで構成され、握持部は、外筒の一端側に設けられている。
【０００７】
本願請求項２記載の緩衝剣は、上記第１の目的を達成するため、上記第１の芯材は、筒状に形成され、第２の芯材の一端側が第１の芯材内に挿入されている。本願請求項３記載の緩衝剣は、上記第１の目的を達成するため、上記握持部は、皮革部材又は布地によって袋状に形成され、縫製、接着等の固定手段によって外筒の一端側に被着されている。
【０００８】
本願請求項４記載の緩衝剣は、上記第１の目的を達成するため、上記握持部は、硬質素材によって筒状に形成され、外筒の一端側に嵌着され、接着材、ネジ等の固着手段によって外筒の一端側に固着されている。本願請求項５記載の緩衝剣は、上記第１の目的を達成するため、上記握持部は、硬質素材によって半円筒状に形成された第１の半体と第２の半体とで構成され、外筒の一端側を第１の半体と第２の半体で挟み込み、ネジ、接着材等の固着手段によって外筒の一端側に固着されている。
【０００９】
本願請求項６記載の緩衝剣は、上記第１の目的を達成するため、上記握持部には、鍔部が一体に形成されている。本願請求項７記載の緩衝剣は、上記第１の目的を達成するため、上記握持部の後端には、柔軟素材で形成された保護部材が設けられている。
【００１０】
本願請求項８記載の緩衝剣の製造方法は、上記第２の目的を達成するため、柔軟素材で形成された筒状の外筒内の一端側に、硬質素材で形成された筒状の第１の芯材を嵌着する第１の工程と、外筒内及び第１の芯材内に、柔軟素材で形成された第２の芯材を嵌挿する第２の工程と、外筒を袋で包み込む第３の工程と、外筒の一端側に握持部を取り付ける第４の工程とからなる。
【００１１】
本願請求項９記載の緩衝剣の製造方法は、上記第２の目的を達成するため、硬質素材で形成された筒状の第１の芯材内に、柔軟素材で形成された第２の芯材を嵌合する第１の工程と、第１の芯材及び第２の芯材を、柔軟素材で形成された筒状の外筒内に嵌挿し、第１の芯材を外筒の一端側に配置する第２の工程と、外筒を袋で包み込む第３の工程と、外筒の一端側に握持部を取り付ける第４の工程とからなる。
【００１２】
本願請求項１０記載の緩衝剣の製造方法は、上記第２の目的を達成するため、柔軟素材で形成された筒状の外筒の一端側から、硬質素材で形成された第１の芯材を嵌挿し、これと前後して又は同時に外筒の他端側から、柔軟素材で形成された第２の芯材を嵌挿する第１の工程と、外筒を袋で包み込む第３の工程と、外筒の一端側に握持部を取り付ける第４の工程とからなる。
【００１３】
本願請求項１１記載の緩衝剣の製造方法は、上記第２の目的を達成するため、上記第４の工程は、皮革部材又は布地によって袋状に形成された握持部を、縫製、接着等の固定手段によって外筒の一端側に被着する工程である。本願請求項１２記載の緩衝剣の製造方法は、上記第２の目的を達成するため、上記第４の工程は、硬質素材によって筒状に形成された握持部を、外筒の一端側に嵌着し、接着材、ネジ等の固着手段によって外筒の一端側に固着する工程である。
【００１４】
本願請求項１３記載の緩衝剣の製造方法は、上記第２の目的を達成するため、上記第４の工程は、硬質素材によって半円筒状に形成された第１の半体と第２の半体とからなる握持部の第１の半体と第２の半体で、外筒の一端側を挟み込み、第１の半体と第２の半体をネジ、接着材等の固着手段によって外筒の一端側に固着する工程である。本願請求項１４記載の緩衝剣の製造方法は、上記第２の目的を達成するため、上記握持部の後端に、柔軟素材で形成された保護部材を取り付ける第５の工程を有する。
【００１５】
【発明の実施の形態】
本願発明に係る緩衝剣の実施の形態を、図１乃至図１１に基づいて説明する。図１は、本願発明に係る緩衝剣の一つの実施の形態を示す全体側面断面図である。図２は、図１のａ−ａ断面図である。図３は、本願発明に係る緩衝剣の他の実施の形態を示す全体側面図である。図４は、図３の握時部を装着状態を示す側面図である。図５は、刀部を構成する袋の形成の仕方を説明する説明図である。
【００１６】
図６は、本願発明に係る緩衝剣の他の実施の形態を示す全体斜視図である。図７は、図６の緩衝剣の分解斜視図である。図８は、図６の側面断面図である。図９は、本願発明に係る緩衝剣の他の実施の形態を示す全体側面図である。図１０は、図９の緩衝剣の分解斜視図である。図１１は、図９の緩衝剣の製造過程を示す説明図である。
【００１７】
緩衝剣１，２１は、刀部２，２２と握持部１１，１２，１３，１５とからなり、刀部２，２２は、柔軟素材で形成された筒状の外筒３，２３と、外筒３，２３内の一端３ａ，２３ａ側に設けられ、硬質素材で形成された第１の芯材５，２５と、外筒３，２３内に設けられ、柔軟素材で形成された第２の芯材６，２６と、外筒３，２３を包む袋７，２７とで構成され、握持部１１，１２，１３，１５は、外筒３，２３の一端３ａ，２３ａ側に設けられている。
【００１８】
緩衝剣１の上記第１の芯材５は、筒状に形成され、第２の芯材６の一端側が第１の芯材５内に挿入されている。上記握持部１１は、皮革部材又は布地によって袋状に形成され、縫製、接着等の固定手段によって外筒３の一端３ａ側に被着されている。
【００１９】
又、握持部１２，１３は、硬質素材によって筒状に形成され、外筒３の一端３ａ側に嵌着され、接着材、ネジ等の固着手段によって外筒３の一端３ａ側に固着されても良い。さらに又、握持部１５は、硬質素材によって半円筒状に形成された第１の半体１６と第２の半体１７とで構成され、外筒２３の一端２３ａ側を第１の半体１６と第２の半体１７で挟み込み、ネジ、接着材等の固着手段３０によって外筒２３の一端２３ａ側に固着されている。
【００２０】
緩衝剣１，２１は、上記握持部１２，１３，１５に、鍔部１２ｃ，１３ｃ，３１が一体に形成されている。緩衝剣１，２１は、上記握持部１３，１５の後端に、柔軟素材で形成された保護部材９，３２が設けられている。
【００２１】
緩衝剣１の製造方法は、柔軟素材で形成された筒状の外筒３内の一端側に、硬質素材で形成された筒状の第１の芯材５を嵌着する第１の工程と、外筒３内及び第１の芯材５内に、柔軟素材で形成された第２の芯材６を嵌挿する第２の工程と、外筒３を袋７で包み込む第３の工程と、外筒３の一端３ａ側に握持部１１，１２，１３を取り付ける第４の工程とからなる。
【００２２】
また、緩衝剣１の製造方法は、硬質素材で形成された筒状の第１の芯材５内に、柔軟素材で形成された第２の芯材６を嵌合する第１の工程と、第１の芯材５及び第２の芯材６を、柔軟素材で形成された筒状の外筒３内に嵌挿し、第１の芯材５を外筒３の一端３ａ側に配置する第２の工程と、外筒３を袋７で包み込む第３の工程と、外筒３の一端３ａ側に握持部１１，１２，１３を取り付ける第４の工程とからなる。
【００２３】
緩衝剣２１の製造方法は、柔軟素材で形成された筒状の外筒２３の一端２３ａ側から、硬質素材で形成された第１の芯材２５を嵌挿し、これと前後して又は同時に外筒２３の他端２３ｂ側から、柔軟素材で形成された第２の芯材２６を嵌挿する第１の工程と、外筒２２を袋２７で包み込む第３の工程と、外筒２３の一端２３ａ側に握持部１５を取り付ける第４の工程とからなる。
【００２４】
緩衝剣１の製造方法の上記第４の工程は、皮革部材又は布地によって袋状に形成された握持部１１を、縫製、接着等の固定手段によって外筒３の一端３ａ側に被着する工程である。緩衝剣１の製造方法の上記第４の工程は、硬質素材によって筒状に形成された握持部１２，１３を、外筒３の一端３ａ側に嵌着し、接着材、ネジ等の固着手段によって外筒３の一端３ａ側に固着する工程であっても良い。
【００２５】
緩衝剣２１の製造方法の上記第４の工程は、硬質素材によって半円筒状に形成された第１の半体１６と第２の半体１７とからなる握持部１５の第１の半体１６と第２の半体１７で、外筒２３の一端２３ａ側を挟み込み、第１の半体１６と第２の半体１７をネジ、接着材等の固着手段３０によって外筒２３の一端２３ａ側に固着する工程である。緩衝剣１，２１の製造方法は、上記握持部１３，１５の後端に、柔軟素材で形成された保護部材９，３２を取り付ける第５の工程を有する。
【００２６】
さらに緩衝剣について詳細に説明する。緩衝剣１は、図１に示すように、刀部２と握持部１１とからなる。刀部２は、外筒３と、第１の芯材５と、第２の芯材６と、袋７とで構成されている。外筒３は、発泡ウレタン等の柔軟性を備えた柔軟素材によって筒状に形成されている。第１の芯材５は、合成樹脂、硬質ゴム、厚紙、木材、金属等の硬質素材で筒状に形成されている。
【００２７】
第２の芯材６は、外筒３と同様に、発泡ウレタン等の柔軟性を備えた柔軟素材によって丸軸状に形成されている。袋７は、布、皮等の素材を縫製して形成したものであって、図７に示すように、前部７ａ及び側部７ｂを縫製して細長く形成され、後部（一端）７ｃが開放されている。握持部１１は、皮革部材又は布地によって袋状に形成されている。
【００２８】
第１の芯材５は、外筒３内の一端３ａ側に嵌着して設けられ、接着材等の固着手段によって外筒３に固着されても構わない。第２の芯材６は、外筒３及び第１の芯材５内に嵌挿して設けられ、接着材等の固着手段によって第１の芯材５に固着されても構わない。外筒３の他端３ｂが、袋７の開放された後部（一端）７ｃから嵌挿されるようにして、外筒３は袋７によって包み込まれている。
【００２９】
外筒３の一端３ａ側が、握持部１１の開放部１１ａから嵌挿され、袋７の後部７ｃが握持部１１に覆われるようにして、握持部１１は、縫製、接着等の固定手段によって袋７の後部（一端）７ｃ側（外筒３の一端３ａ側）に被着されている。握持部１１と第１の芯材５は、略同じ長さで形成され、握持部１１を握持した時、刀部２を強固に握持することができる。なお、外筒３は、図２（ａ）に示すように、円筒状に形成されているが、図２（ｂ）に示すように、略Ｃ字状に形成し、接合部３ｅを接着材により接着しても構わない。
【００３０】
上記実施の形態では、握持部１１は、皮革部材又は布地によって袋状に形成され、開放部１１ａから袋７の後部（一端）７ｃ側を挿入し、縫製、接着等の固定手段によって袋７の後部（一端）７ｃ側に被着されている。図３，４に示す握持部１２は、合成樹脂、硬質ゴム、ウレタン等の硬質素材によって、一端が湾曲壁１２ａに塞がれ、他端１２ｂが開放された筒状に形成され、他端１２ｂの外周縁に鍔１２ｃが一体形成されている。この握持部１２は、他端１２ｂから袋７の一端７ｃ側を挿入し、接着材、ネジ等の固着手段によって袋７の一端７ｃ側（外筒３の一端３ａ側）に固着されている。なお、袋７の形成の仕方は、図５（ａ）に示すような袋縫い、図５（ｂ）に示すような合わせ縫い、図５（ｃ）に示すような接着等によって、形成されてもよく、この仕方に限定されるものではない。
【００３１】
図６乃至８に示す握持部１３は、合成樹脂、硬質ゴム、ウレタン等の硬質素材によって、一端が側壁１３ａに塞がれ、他端１３ｂが開放された筒状に形成され、他端１３ｂの外周縁に鍔１３ｃが一体形成されている。この握持部１３は、他端１３ｂから袋７の後部（一端）７ｃ側を挿入し、接着材、ネジ等の固着手段によって袋７の後部（一端）７ｃ側（外筒３の一端３ａ側）に固着されている。
【００３２】
また、側壁１３ａには、取付孔１３ｄが形成され、この取付孔１３ｄに、スポンジ、ゴム等の柔軟性を備えた柔軟素材によって形成された保護部材９が取り付けられている。この保護部材９は、緩衝部９ａと取付軸９ｂとからなり、この取付軸９ｂを側壁１３ａの取付孔１３ｄに差し込むことによって、側壁１３ａに取り付けられる。保護部材９は、その素材の弾性により、取付孔１３ｄに圧接して着脱自在に取り付けられる他、接着材、ネジ等の固着手段により握持部１３の後端に固着しても構わない。取付軸９ｂは、第１の芯材５内に挿入され、その際袋７の一端７ｃ側を第１の芯材５内に折り込むことになり、袋７の一端７ｃを縫製して綴じる手間が省けることになる。
【００３３】
緩衝剣２１は、図９乃至１１に示すように、刀部２２と握持部１５とからなる。刀部２２は、外筒２３と、第１の芯材２５と、第２の芯材２６と、袋２７とで構成されている。外筒２３は、発泡ウレタン等の柔軟性を備えた柔軟素材によって筒状に形成されている。第１の芯材２５は、合成樹脂、硬質ゴム、厚紙、木材、金属等の硬質素材で丸軸状に形成されている。
【００３４】
第２の芯材２６は、外筒２３と同様に、発泡ウレタン等の柔軟性を備えた柔軟素材によって丸軸状に形成されている。袋２７は、綿生地で細長く形成され、後部（一端）２７ｃが開放されている。握持部１５は、合成樹脂、硬質ゴム、ウレタン等の硬質素材によって半円筒状に形成された第１の半体１６と第２の半体１７とで構成されている。
【００３５】
第１の芯材２５は、外筒２３内の一端２３ａ側から嵌着して設けられ、ビニールテープ等の固着手段２９によって外筒２３に固着されても構わない。第２の芯材２６は、外筒３内の他端側２３ｂから嵌挿して設けられている。外筒２３の他端２３ｂが、袋２７の開放された後部（一端）２７ｃから嵌挿されるようにして、外筒２３は袋２７によって包み込まれている。
【００３６】
外筒２３の一端２３ａ側には、第１の半体１６と第２の半体１７で挟み込み、ネジ、接着材等の固着手段３０によって握持部１５が固着されている。なお、上記握持部１５には、鍔部３１が一体に形成され、後端に、柔軟素材で形成された保護部材３２が設けられている。
【００３７】
緩衝剣１は、以下のように製造することができる。刀部２は、図７を参照して、以下のように製造する。柔軟素材で形成された筒状の外筒３内の一端３ａ側に、硬質素材で形成された筒状の第１の芯材５を嵌着する。第１の芯材５を、接着材等の固着手段によって外筒３に固着しても良い。外筒３内及び第１の芯材５内に、柔軟素材で形成された第２の芯材６を嵌挿する。係る場合、第２の芯材６は、第１の芯材５に接着材等の固着手段で固着しても構わない。袋７の開放された後部７ｃから外筒３を挿入し、外筒３を袋７で包み込ませる。
【００３８】
また、刀部２は、以下のように製造することもできる。硬質素材で形成された筒状の第１の芯材５内に、柔軟素材で形成された第２の芯材６を嵌合する。係る場合、第２の芯材６は、第１の芯材５に接着材等の固着手段で固着しても構わない。第１の芯材５及び第２の芯材６を、柔軟素材で形成された筒状の外筒３内に嵌挿し、第１の芯材５を外筒３の一端３ａ側に配置する。第１の芯材５を外筒３に接着材等の固着手段で固着しても構わない。袋７の開放された後部７ｃから外筒３を挿入し、外筒３を袋７で包み込ませる。
【００３９】
上記刀部２の一端２ａ側、即ち袋７の一端７ｃ側（外筒３の一端３ａ側）に握持部１１，１２，１３を取り付ける。皮革部材又は布地によって袋状に形成された握持部１１は、図１に示すように、開放部１１ａから袋７の後部（一端）７ｃ側を挿入し、縫製、接着等の固定手段によって袋７の後部（一端）７ｃ側（外筒３の一端３ａ側）に被着する。
【００４０】
合成樹脂、硬質ゴム、ウレタン等の硬質素材によって、一端が湾曲壁１２ａに塞がれ、他端１２ｂが開放された筒状に形成され、他端１２ｂの外周縁に鍔１２ｃが一体形成された握持部１２は、図４に示すように、他端１２ｂから袋７の一端７ｃ側を挿入し、接着材、ネジ等の固着手段によって袋７の一端７ｃ側（外筒３の一端３ａ側）に固着する。
【００４１】
合成樹脂、硬質ゴム、ウレタン等の硬質素材によって、一端が側壁１３ａに塞がれ、他端１３ｂが開放された筒状に形成され、他端１３ｂの外周縁に鍔１３ｃが一体形成された握持部１３は、図７に示すように、他端１３ｂから袋７の後部（一端）７ｃ側（外筒３の一端３ａ側）を挿入し、接着材、ネジ等の固着手段によって袋７の後部（一端）７ｃ側（外筒３の一端３ａ側）に固着する。側壁１３ａの取付孔１３ｄに、スポンジ、ゴム等の柔軟性を備えた柔軟素材によって形成された保護部材９の取付軸９ｂを差し込むことによって、握持部１３の後端に保護部材９を取り付ける。
【００４２】
緩衝剣２１は、以下のように製造することができる。刀部２２は、図１０，１１を参照して、以下のように製造する。柔軟素材で形成された筒状の外筒２３の一端２３ａ側から、硬質素材で形成された第１の芯材２５を嵌挿する。また第１の芯材２５の嵌挿と前後して又は同時に、外筒２３の他端２３ｂ側から、柔軟素材で形成された第２の芯材２６を嵌挿する。第１の芯材２５を、接着材、ビニールテープ等の固着手段２９によって外筒２３に固着しても良い。袋２７の開放された後部２７ｃから外筒２３を挿入し、外筒２３の一端２３ａ側以外を袋２７で包み込ませる。
【００４３】
上記刀部２２の一端２２ａ側、即ち外筒２３の一端２３ａ側に握持部１５を取り付ける。合成樹脂、硬質ゴム、ウレタン等の硬質素材によって半円筒状に形成された第１の半体１６と第２の半体１７とで構成された握持部１５を、外筒２３の一端２３ａ側を第１の半体１６と第２の半体１７で挟み込み、ネジ、接着材等の固着手段３０によって固着する。このようにして、緩衝剣１，２１を簡単に製造することができる。
【００４４】
上記実施の形態では、刀部２，２２を、外筒３，２３と、第１の芯材５，２５と、第２の芯材６，２６と、袋７，２７とで構成したが、図１２，１３に示すように、刀部４２を、ロール状に巻いた不織布４３と、不織布４３を包む袋４７とで構成しても構わない。さらに、図８，１０に示す外筒３，２３に替えて、第１の芯材５，２５と第２の芯材６，２６に不織布４３をロール状に巻き付け、この不織布４３を袋４７で包み込み、刀部２，２２を構成しても良い。
【００４５】
【発明の効果】
以上説明してきたように、本願請求項１乃至７の緩衝剣及び本願請求項８乃至１３の製造方法によって製造された緩衝剣は、構造が簡単で軽量・安価であり、持ち運びが容易で、僅かな傷でもそのまま使用し続けることができ、長期間使用することができるという効果がある。
【００４６】
本願請求項１の緩衝剣及び本願請求項８の製造方法によって製造された緩衝剣は、握持部を握持すると、その握持部の内側に硬質素材で形成された第１の芯材が配置されているため、確実且つ安定して握持することができるという効果がある。また、柔軟素材で形成された筒状の外筒の内側に、同じく柔軟素材で形成された第２の芯材が設けられているため、外筒を補強して、刀部の形状を確実に保持することができると共に遊んでいる時に刀部が当たっても痛くなく、安全性が確保されるという効果がある。
【００４７】
本願請求項２の緩衝剣及び本願請求項９、１０の製造方法によって製造された緩衝剣は、上記効果に加え、第２の芯材の一端側が第１の芯材内に挿入されているので、第１の芯材が第２の芯材をも保持することになり、第２の芯材の補強効果を高めることができるという効果がある。
【００４８】
本願請求項３の緩衝剣及び本願請求項１１の製造方法によって製造された緩衝剣は、上記効果に加え、握持部は、皮革部材又は布地によって袋状に形成され、縫製、接着等の固定手段によって外筒の一端側に被着されているので、握持部にソフト感があり、握り易いという効果がある。
【００４９】
本願請求項４の緩衝剣及び本願請求項１２の製造方法によって製造された緩衝剣は、上記効果に加え、握持部は、硬質素材によって筒状に形成され、外筒の一端側に嵌着され、接着材、ネジ等の固着手段によって外筒の一端側に固着されているので、製造し易いという効果がある。
【００５０】
本願請求項５の緩衝剣及び本願請求項１３の製造方法によって製造された緩衝剣は、上記効果に加え、握持部は、硬質素材によって半円筒状に形成された第１の半体と第２の半体とで構成され、外筒の一端側を第１の半体と第２の半体で挟み込み、ネジ、接着材等の固着手段によって外筒の一端側に固着されているので、製造公差により外筒の大きさにバラツキがあっても、対応することができるという効果がある。
【００５１】
本願請求項６の緩衝剣は、上記効果に加え、握持部には、鍔部が一体に形成されているので、製造し易く、製造コストを低くおさえることができるという効果がある。
【００５２】
本願請求項７の緩衝剣及び本願請求項１４の製造方法によって製造された緩衝剣は、上記効果に加え、握持部の後端には、柔軟素材で形成された保護部材が設けられているので、より安全性を高めることができるという効果がある。
【図面の簡単な説明】
【図１】本願発明に係る緩衝剣の一つの実施の形態を示す全体側面断面図である。
【図２】図１のａ−ａ断面図である。
【図３】本願発明に係る緩衝剣の他の実施の形態を示す全体側面図である。
【図４】図３の握時部を装着状態を示す側面図である。
【図５】刀部を構成する袋の形成の仕方を説明する説明図である。
【図６】本願発明に係る緩衝剣の他の実施の形態を示す全体斜視図である。
【図７】図６の緩衝剣の分解斜視図である。
【図８】図６の側面断面図である。
【図９】本願発明に係る緩衝剣の他の実施の形態を示す全体側面図である。
【図１０】図９の緩衝剣の分解斜視図である。
【図１１】図９の緩衝剣の製造過程を示す説明図である。
【図１２】本願発明に係る緩衝剣の他の実施の形態を示す全体側面断面図である。
【図１３】図１２のａ−ａ断面図である。
【符号の説明】
１  緩衝剣
２  刀部
２ａ  一端
３  外筒
３ａ  一端
３ｂ  他端
３ｅ  接合部
５  第１の芯材
６  第２の芯材
７  袋
７ａ  前部
７ｂ  側部
７ｃ  後部（一端）
９  保護部材
９ａ  緩衝部
９ｂ  取付軸
１１  握持部
１１ａ  開放部
１２  握持部
１２ａ  湾曲壁
１２ｂ  他端
１２ｃ  鍔
１３  握持部
１３ａ  側壁
１３ｂ  他端
１３ｃ  鍔
１３ｄ  取付孔
１５  握持部
１６  第１の半体
１７  第２の半体
２１  緩衝剣
２２  刀部
２２ａ  一端
２３  外筒
２３ａ  一端
２３ｂ  他端側
２５  第１の芯材
２６  第２の芯材
２７  袋
２７ｃ  後部
２９  固着手段
３０  固着手段
３１  鍔部
３２  保護部材
４２  刀部
４３  不織布
４７  袋
【図１】
2004208911.tif 000003
【図２】
2004208911.tif 000004
【図３】
2004208911.tif 000005
【図４】
2004208911.tif 000006
【図５】
2004208911.tif 000007
【図６】
2004208911.tif 000008
【図７】
2004208911.tif 000009
【図８】
2004208911.tif 000010
【図９】
2004208911.tif 000011
【図１０】
2004208911.tif 000012
【図１１】
2004208911.tif 000013
【図１２】
2004208911.tif 000014
【図１３】
2004208911.tif 000015